(57)【要約】【課題】作業性や安定性や耐久性や安全性等の向上を図ることが可能なワイヤハーネスを提供する。【解決手段】ワイヤハーネス２１は、インバータ４及びバッテリー５間を接続する複数の高圧電線２２と、この複数の高圧電線２２を保護する保護部材２３と、車両固定用の固定部材２４とを備えて構成されている。ワイヤハーネス２１は、車両内部前側６から車体床下１０を通って車両内部後側７までのびるように形成されている。保護部材２３は、車両内部用保護部材２６、２７と、車体床下用保護部材２８とを含んで構成されている。車体床下用保護部材２８は、断面非円形状の絶縁性を有する合成樹脂製の平型チューブであって、部材の軸方向に沿って、独立した部材周方向の山部と谷部とが交互に連続するような蛇腹状の形状に形成されている。【選択図】図１
2010012868.tif 000002
【特許請求の範囲】
【請求項１】
ハイブリッド自動車又は電気自動車の車両内部前側から車体フレームの外側となる車体床下を通り車両内部後側までのびてバッテリ及びインバータ間を接続する、又はモータ及びインバータ間を接続する複数の高圧電線と、該複数の高圧電線を保護する保護部材と、を備えるワイヤハーネスにおいて、
前記保護部材を、車両内部用保護部材と車体床下用保護部材とを含む複数種の別体部品で構成するとともに、前記車体床下用保護部材を、断面非円形状の絶縁性を有する合成樹脂製の平型チューブとし、
該平型チューブを、部材の軸方向に沿って、独立した部材周方向の山部と谷部とを交互に連続させるとともに前記山部に床下設置面となり得る頂面を有する蛇腹状の形状に形成し、且つ前記車体床下への配索前において所定方向への曲げが自在となる形状に形成し、且つ前記部材の軸に沿ってスリットのないシームレス形状に形成し、且つ前記高圧電線を横一列に並べた状態に合わせた内部空間を有する形状に形成し、且つ前記車体床下から地面方向に突出するように前記車体フレームに設けられたリーンホースの横に設置可能な形状に形成し、且つ前記リーンホースよりも低背となる形状に形成してなる
ことを特徴とするワイヤハーネス。
【請求項２】
請求項１に記載のワイヤハーネスにおいて、
前記平型チューブに対し外力が掛かり内方に向けて変形が生じる場合、前記高圧電線がチューブ変形規制部材として機能するよう前記内部空間を調整した状態の形状に前記平型チューブを形成する
ことを特徴とするワイヤハーネス。
【請求項３】
請求項１又は請求項２に記載のワイヤハーネスにおいて、
前記高圧電線を、この導体形状が断面略長方形状となる平型の導体、或いは素線又は撚り線を複数並べて断面略平型となる形状の導体、を備えてなる平型の高圧電線とする
ことを特徴とするワイヤハーネス。
【請求項４】
請求項１ないし請求項３いずれか記載のワイヤハーネスにおいて、
前記平型チューブに、該平型チューブを前記車体床下に対し固定するための別体の固定部材を設ける
ことを特徴とするワイヤハーネス。
【請求項５】
請求項１ないし請求項４いずれか記載のワイヤハーネスにおいて、
低圧電線を更に備え、該低圧電線を前記横一列に並べた状態の前記高圧電線と共に並べる
ことを特徴とするワイヤハーネス。
【発明の詳細な説明】
【技術分野】
【０００１】
本発明は、車体フレームの外側となる車体床下を通って配索されるワイヤハーネスに関し、詳しくは、複数の高圧電線とこれらを保護する保護部材とを備えるワイヤハーネスに関する。
【背景技術】
【０００２】
下記特許文献１に開示されたワイヤハーネスは、三本の高圧電線と、この三本の高圧電線を一本ずつ収容して保護するための三本の金属保護パイプとを備えて構成されている。高圧電線は、車両の前側に搭載されるモータと、車両の中間又は後側に搭載されるインバータとを接続するものとして備えられている。
【０００３】
ワイヤハーネスは、車体フレームの外側となる車体床下を通って配索されるようになっている。このため、金属保護パイプは石跳ねや水跳ねから高圧電線を保護することができるように形成されている。金属保護パイプは、石跳ねや水跳ねから高圧電線を保護し且つ高圧電線の撓みを防止する剛性を有するとともに、金属製であることから電磁シールド機能も有している。
【０００４】
ワイヤハーネスは、真っ直ぐな状態の金属保護パイプに高圧電線を挿通し、これを三本分行った後に、車体床下におけるワイヤハーネスの配索経路に沿って金属保護パイプに曲げを施すことにより製造されている。ワイヤハーネスは、ハーネスメーカーの工場で上記の如く製造された後に、自動車メーカーの組み立て工場へと搬送されて車両の所定位置に組み付けられ、これにより配索が完了するようになっている。
【０００５】
尚、ワイヤハーネスの搬送の際には、ワイヤハーネス同士が搬送中において接触して変形等してしまわないようにするために、ワイヤハーネス毎に十分なスペースを確保する必要がある。また、金属保護パイプを三次元的に曲げ加工していることから、立体的なスペースを確保する必要がある。これらスペース確保を問題点と捉えると、この問題点解消には、下記特許文献２に開示されたワイヤハーネスが好適であることが知られている。
【０００６】
下記特許文献２に開示されたワイヤハーネスは、三本の高圧電線と、この三本の高圧電線を一括して収容し保護するための金属保護パイプとを備えて構成されている。高圧電線は、インバータ、バッテリー、モーター等の機器を接続するものとして備えられている。金属保護パイプは、断面円形状の金属製のパイプ部材であって、この外周と内周には、一定ピッチで螺旋状の山及び溝が形成されている。言い換えれば、金属保護パイプは、この軸方向に沿って径が交互に増減する形態の波形に加工されている。波形の加工は、金属保護パイプのほぼ全長にわたって施されている（金属保護パイプの両端に取り付け部材が設けられており、これ以外は波形の加工が施されている）。金属保護パイプは、金属製にすることによって電磁シールド機能を持たせている。
【０００７】
金属保護パイプは、下記特許文献２によれば、曲げ変形時において曲げの内側の波形ピッチが狭まるとともに外側の波形ピッチが広がるようになっており、変形に伴ってこの肉厚が極端に変化し、ひいては破損してしまわないように形成されている。金属保護パイプは、同径の筒状を保ちつつ手作業で自在に曲げ変形することができるようになっており、しかも、所定の剛性を備えて曲げ変形後の形状が保てるようになっている。
【０００８】
このような金属保護パイプの中に一括して収容される三本の高圧電線は、金属保護パイプ内で俵積み状（電線の中心を結んだ時にほぼ正三角形を描く状態）になるように収容されている。俵積み状となった高圧電線は、金属保護パイプの中心位置に配置されるとともに、パイプ内面から所定の距離だけ離れるように配置されている。
【０００９】
下記特許文献２に開示されたワイヤハーネスは、金属保護パイプを手作業で自在に曲げ変形することが可能であることから、ハーネスメーカーの工場から自動車メーカーの組み立て工場への搬送時において、金属保護パイプをほぼ真っ直ぐの状態にすることや二次元方向に折り畳んだ状態にすることができるようになっている。すなわち、下記特許文献１に開示されたワイヤハーネスよりもスペース確保を容易にすることができるようになっている。
【００１０】
下記特許文献２に開示されたワイヤハーネスは、自動車メーカーの組み立て工場へと搬送された後に、車両に対する配索経路に沿って屈曲又は伸長させて組み付けられるようになっている。
【特許文献１】特開２００４−２２４１５６号公報
【特許文献２】特開２００７−６６８２５号公報
【発明の開示】
【発明が解決しようとする課題】
【００１１】
特許文献２に開示されたワイヤハーネスにあっては、これを二次元方向に折り畳んだ状態にしてから自動車メーカーの組み立て工場へと搬送することができるようになっている。従って、特許文献１に開示されたワイヤハーネスよりも搬送時におけるスペース確保が容易になるのは確かである。しかしながら、特許文献２に開示されたワイヤハーネス（以下、単にワイヤハーネスと略記する）にあっては、幾つかの問題点を有している。
【００１２】
すなわち、一つ目の問題点としては、金属保護パイプが曲げ自在で断面円形状のものであることから、折り畳み方向に指定がない場合には好適な形状である反面、折り畳み方向を指定する必要がある場合には、作業者が折り畳み方向を的確に把握して作業をすることは困難であり、これが問題点になっている。
【００１３】
二つ目の問題点としては、金属保護パイプが断面円形状のものであるとともに、ほぼ全長にわって波形の加工が施されることから、車体床下に沿わせた組み付け状態を見ると、座りが悪い（安定性が悪い）ものとなっており、これが問題点になっている。また、波形の加工は車体床下に対し点接触になってしまうことから、この点接点部分が摩滅し易く、これも問題点になっている。
【００１４】
三つ目の問題点としては、金属保護パイプが断面円形状のものであるとともに、パイプ中心に位置する三本の高圧電線に対しパイプ内面が所定の距離だけ離れるような比較的大きな径を有するものであることから、車体床下に沿わせた組み付け状態を見ると、地面までの距離が短く（近く）なってしまい、電線保護の観点から不利な形状であると言え、これが問題点になっている。
【００１５】
四つ目の問題点としては、金属保護パイプが金属製であることから、軽量化を図ろうとしても限度があり、これが問題点になっている。また、金属保護パイプ内の高圧電線に例えば漏電が生じた場合は、金属保護パイプの全長にわたって大電流が流れてしまう可能性があることから、これも問題点になっている。
【００１６】
五つ目の問題点としては、金属保護パイプが所定の剛性を備えることから、この剛性によって取り回しがし難くなる恐れを有し、これが問題点になっている（曲げ変形後の形状が保てるという利点が仇になる）。
【００１７】
この他、ワイヤハーネスは、三本の高圧電線が金属保護パイプのパイプ中心に位置し、且つパイプ内面から離れた位置に配置されることから、高圧電線とパイプ内面との間に大きな隙間が生じる構造を有している。従って、パイプ材質を考えなければ、外力に対し比較的弱い構造を有すると言える（外力に対し強い構造にする場合、例えば構成部材を追加することが考えられる。しかしながら、材料面や工数面等でコスト高になってしまう）。
【００１８】
本発明は、上記した事情に鑑みてなされたもので、作業性や安定性や耐久性や安全性等の向上を図ることが可能なワイヤハーネスを提供することを課題とする。また、コスト面でも良好なワイヤハーネスを提供することを課題とする。
【課題を解決するための手段】
【００１９】
上記課題を解決するためになされた請求項１記載の本発明のワイヤハーネスは、ハイブリッド自動車又は電気自動車の車両内部前側から車体フレームの外側となる車体床下を通り車両内部後側までのびてバッテリ及びインバータ間を接続する、又はモータ及びインバータ間を接続する複数の高圧電線と、該複数の高圧電線を保護する保護部材と、を備えるワイヤハーネスにおいて、前記保護部材を、車両内部用保護部材と車体床下用保護部材とを含む複数種の別体部品で構成するとともに、前記車体床下用保護部材を、断面非円形状の絶縁性を有する合成樹脂製の平型チューブとし、該平型チューブを、部材の軸方向に沿って、独立した部材周方向の山部と谷部とを交互に連続させるとともに前記山部に床下設置面となり得る頂面を有する蛇腹状の形状に形成し、且つ前記車体床下への配索前において所定方向への曲げが自在となる形状に形成し、且つ前記部材の軸に沿ってスリットのないシームレス形状に形成し、且つ前記高圧電線を横一列に並べた状態に合わせた内部空間を有する形状に形成し、且つ前記車体床下から地面方向に突出するように前記車体フレームに設けられたリーンホースの横に設置可能な形状に形成し、且つ前記リーンホースよりも低背となる形状に形成してなることを特徴としている。
【００２０】
本発明によれば、複数種の別体部品で構成される保護部材のうち、車体床下用保護部材に特徴を有する。すなわち、車体床下用保護部材は、合成樹脂製であることから、金属製と比べて軽量化を図ることが可能になる。軽量化により、ワイヤハーネス自体の取り回しも容易になる。また、車体床下用保護部材は、絶縁性を有する合成樹脂製であることから、これに大電流が流れることはなく、結果、安全性の向上を図ることが可能になる。また、車体床下用保護部材は、断面非円形状の平型チューブであり、高圧電線を横一列に並べた状態に合わせた形状のものでもあることから、地面までの距離が断面円形状のものと比べて長くなり、結果、損傷し難いものとなる。従って、高圧電線の保護をより確実にすることが可能になる。また、車体床下用保護部材は、シームレス形状のものであることから、水跳ねがあっても水分が内部に浸入することはなく、結果、高圧電線を保護することが可能になる。また、車体床下用保護部材は、リーンホースよりも低背であることから、リーンホースの横に設置されるとこのデッドスペースに隠れるようになる。従って、より一層損傷し難いものとすることが可能になる。また、車体床下用保護部材は、リーンホースの横に設置されることにより、構成部材の追加をすることなしにリーンホースによって強い構造を得ることが可能になる。また、車体床下用保護部材は、蛇腹状で曲げ易く、さらに平型チューブであることから、曲げ方向を規制することもできる。従って、作業者は曲げ方向を把握することが容易になり、結果、作業性を向上させることが可能になる。また、車体床下用保護部材は、床下設置面となり得る頂面を有する蛇腹状で尚かつ平型チューブであることから、車体床下に沿わせて組み付けた状態での安定性を確保することが可能になる。また、車体床下用保護部材は、床下設置面となり得る頂面を有することから、車体床下に対して面接触するものとなり、点接触や線接触と比べた場合に摩滅し難くなる。従って、耐久性を向上させることが可能になる。
【００２１】
請求項２記載の本発明のワイヤハーネスは、請求項１に記載のワイヤハーネスにおいて、前記平型チューブに対し外力が掛かり内方に向けて変形が生じる場合、前記高圧電線がチューブ変形規制部材として機能するよう前記内部空間を調整した状態の形状に前記平型チューブを形成することを特徴としている。
【００２２】
本発明によれば、車体床下用保護部材は、断面非円形状の平型チューブであり、高圧電線を横一列に並べた状態に合わせた形状のものでもあり、さらに、内部空間を調整して高圧電線をチューブ変形規制部材として機能させる形状のものであることから、断面円形状のものと比べて外力に対し弱い箇所となる大きな隙間を格段に低減することが可能になる。
【００２３】
請求項３記載の本発明のワイヤハーネスは、請求項１又は請求項２に記載のワイヤハーネスにおいて、前記高圧電線を、この導体形状が断面略長方形状となる平型の導体、或いは素線又は撚り線を複数並べて断面略平型となる形状の導体、を備えてなる平型の高圧電線とすることを特徴としている。
【００２４】
本発明によれば、断面円形状の導体と同じ導体断面積となるように導体形状を平型にすると、横一列に並べた状態の高圧電線をコンパクトにすることが可能になる。車体床下用保護部材は、高圧電線を横一列に並べた状態に合わせて形成されることから、平型の高圧電線を用いることによりワイヤハーネス自体の小型化を図ることが可能になる。小型化を図ることにより、リーンホース横のデッドスペースに対し隠れ易い形状にすることが可能になる。従って、より一層損傷し難いものとなり、高圧電線の保護をより一層確実にすることが可能になる。小型化を図ることにより、ワイヤハーネス搬送時におけるスペース確保も容易にすることが可能になる。
【００２５】
請求項４記載の本発明のワイヤハーネスは、請求項１ないし請求項３いずれか記載のワイヤハーネスにおいて、前記平型チューブに、該平型チューブを前記車体床下に対し固定するための別体の固定部材を設けることを特徴としている。
【００２６】
本発明によれば、固定部材によって車体床下用保護部材は車体床下に固定される。固定部材を用いることにより、車体床下用保護部材の形状を固定のために複雑化する必要がなくなることから、設計工数の低減や製造性の向上を図ることが可能になる。
【００２７】
請求項５記載の本発明のワイヤハーネスは、請求項１ないし請求項４いずれか記載のワイヤハーネスにおいて、低圧電線を更に備え、該低圧電線を前記横一列に並べた状態の前記高圧電線と共に並べることを特徴としている。
【００２８】
本発明によれば、高圧の回路を有するとともに低圧の回路も有するワイヤハーネスになる。本発明によれば、車両内部前側から後側までのびて所望の機器を接続するような低圧回路を一体化させてモジュール化を促進することが可能になる。
【発明の効果】
【００２９】
請求項１に記載された本発明によれば、車体床下用保護部材の特徴によって、従来よりも作業性や安定性や耐久性や安全性等の向上を図ることができるという効果を奏する。また、本発明によれば、リーンホースを保護部材として利用することにより、構成部材の追加を抑えることができ、コスト低減や軽量化を図ることもできるという効果を奏する。
【００３０】
請求項２に記載された本発明によれば、高圧電線をチューブ変形規制部材として機能させる形状に車体床下用保護部材を形成することによって、構造上の弱い箇所を格段に低減することができるという効果を奏する。
【００３１】
請求項３に記載された本発明によれば、ワイヤハーネス自体の小型化を図ることによって、損傷し難くすることや、搬送時におけるスペース確保を容易にすることができるという効果を奏する。
【００３２】
請求項４に記載された本発明によれば、固定部材を用いることによって車体床下用保護部材の形状を簡素化することができるという効果を奏する。
【００３３】
請求項５に記載された本発明によれば、高圧回路と低圧回路とを一体化してモジュール化を図ることにより、例えば自動車メーカーの組み立て工場における作業性の向上や、車両におけるスペース確保を容易にすることができるという効果を奏する。
【発明を実施するための最良の形態】
【００３４】
以下、図面を参照しながら説明する。図１は本発明のワイヤハーネスの一実施の形態を示す模式的な構成図である。また、図２は車体床下用保護部材及びリーンホースを示す図であり、図２（ａ）は地面から車体床下を見た時の要部拡大図（一部断面を含む）、図２（ｂ）は（ａ）のＡ−Ａ線断面図である。また、図３はワイヤハーネス製造から車両組み付けまでの流れを示す模式的な図であり、図３（ａ）は製造直後のワイヤハーネスの図、図３（ｂ）は汎用通い箱に収容して搬送する状態のワイヤハーネスの図、図３（ｃ）は車両組み付け直前のワイヤハーネスの図、図３（ｄ）は車両組み付け後のワイヤハーネスの図である。
【００３５】
本発明のワイヤハーネスは、ハイブリッド自動車又は電気自動車に配索されるものを対象にしている。以下では、ハイブリッド自動車での例を挙げて説明するものとする（電気自動車の場合でも本発明のワイヤハーネスの構成、構造、及び効果は基本的に同じである）。
【００３６】
図１において、引用符号１はハイブリッド自動車を示している。ハイブリッド自動車１は、エンジン２及びモータ３の二つの動力をミックスして駆動する車両であって、モータ３にはインバータ４を介してバッテリー５からの電力が供給されるようになっている。エンジン２、モータ３、及びインバータ４は、本形態において、前輪等がある車両内部前側６に搭載されている。また、バッテリー５は、後輪等がある車両内部後側７に搭載されている。
【００３７】
引用符号８は車体フレームを示している。図中において、車体フレーム８の上側は、車体床上９を示している。また、車体フレーム８の下側は、車体床下１０を示している。車体床下１０には、車両強度を高めるための断面略凸形状のリーンホース１１が設けられている。リーンホース１１は、車両前後にのびるように形成されている。車両内部前側６における引用符号１２は、例えば公知のリレーボックス等の電気接続箱を示している。また、車両内部後側７における引用符号１３は、公知の低圧バッテリーを示している（低圧バッテリー１３の配置は一例であるものとする）。
【００３８】
本形態において、モータ３は、モータ及びジェネレータを構成に含んでいるものとする。また、インバータ４は、インバータ及びコンバータを構成に含んでいるものとする。インバータ４は、インバータアッセンブリであって、上記インバータには、例えばエアコン・インバータやジェネレータ用インバータ、モータ用インバータが含まれるものとする。バッテリー５は、Ｎｉ−ＭＨ系やＬｉ−ｉｏｎ系のものであって、モジュール化してなるものとする。尚、例えばキャパシタのような蓄電装置を使用することも可能であるものとする。
【００３９】
インバータ４及びバッテリー５間は、本発明のワイヤハーネス２１によって接続されている。
【００４０】
本発明のワイヤハーネス２１は、インバータ４及びバッテリー５間を電気的に接続する複数の高圧電線２２と、この複数の高圧電線２２を保護する保護部材２３と、車両固定用の固定部材２４とを備えて構成されている。また、ワイヤハーネス２１は、特に限定するものでないが、本形態において、公知の複数の低圧電線２５も備えて構成されている（本形態では低圧バッテリー１３を車両内部後側７に配置するため、低圧電線２５を備えている。本形態ではモジュール化を図っている）。ワイヤハーネス２１は、車両内部前側６から車体床下１０を通って車両内部後側７までのびるように形成されている。ワイヤハーネス２１は、車体フレーム８を貫通するようなものになっている。以下、ワイヤハーネス２１の上記各構成について説明する。
【００４１】
上記高圧電線２２は、公知の電力ケーブルであって、所定の直径となる断面円形状のものがここでは用いられている。高圧電線２２は、上記低圧電線２５よりも太物であって、中心に位置する導体は、銅や銅合金やアルミニウムによって製造されている。高圧電線２２は、本形態において二本備えられており、これらの各端末には、機器接続用の端子金具を有するコネクタ（図示省略）が設けられている。尚、高圧電線２２は、編組等を含んでシールド機能を有する構成にしてもよいものとする（シールド機能に関し、複数の高圧電線２２を一括して覆うような編組を設けてもよいものとする）。
【００４２】
上記低圧電線２５は、高圧電線２２と共に保護部材２３によって保護されるようになっている。低圧電線２５は、この一端が上記電気接続箱１２に接続されるとともに他端が低圧バッテリー１３に接続されている。
【００４３】
複数の高圧電線２２及び低圧電線２５を保護するための保護部材２３は、複数種の別体部品で構成されている。具体的に説明すると、保護部材２３は、車両内部用保護部材２６、２７と、車体床下用保護部材２８とを含んで構成されている。尚、保護部材２３の機能は、本形態において上記固定部材２４も有している。
【００４４】
上記車両内部用保護部材２６、２７は、車体床上９側となる車両内部に位置する保護部材であって、絶縁性を有する合成樹脂製であるとともに断面円形状となる公知の丸型コルゲートチューブがここでは用いられている（プロテクタを用いてもよいものとする。また、丸型コルゲートチューブとプロテクタとの組み合わせ等であってもよいものとする。車両内部用保護部材２６、２７は、車両内部において高圧電線２２等を保護することができれば形態は特に限定されないものとする）。車両内部用保護部材２６は、車両内部前側６に配置されている。また、車両内部用保護部材２７は、車両内部後側７に配置されている。
【００４５】
図１及び図２において、上記車体床下用保護部材２８は、断面非円形状（ここでは長円形状）の絶縁性を有する合成樹脂製の平型チューブであって、部材の軸方向（図２の矢印Ｐ方向参照）に沿って、独立した部材周方向の山部２９と谷部３０とが交互に連続するような蛇腹状の形状に形成されている。言い換えれば、車体床下用保護部材２８は、平型コルゲートチューブのような形状に形成されている。このような形状の車体床下用保護部材２８は、図２の紙面に垂直なＱ方向の曲げが容易であり、矢印Ｒ方向（部材幅方向）にはあまり曲がらないような、曲げ方向が規制されるものとなっている。
【００４６】
もう少し詳しく形状について説明すると、車体床下用保護部材２８は、一対の対向する平面と、この平面を繋ぐ一対の曲面とを有するように形成されている（断面形状が長円形状となる。尚、この長円形となる断面形状は一例であるものとする）。具体的には、床下載置面３１と地面対向面３２とを有するとともに一対の曲面３３を有する、断面形状が長円形となる形状に形成されている。山部２９には、床下載置面３１、地面対向面３２、及び曲面３３となり得る頂面３４が形成されている。
【００４７】
このような形状に形成する理由としては、リーンホース１１の高さＨ１（車体床下１０からリーンホース１１の突出先端面までの高さＨ１）よりも車体床下用保護部材２８の高さＨ２を低くするためである。すなわち、車体床下用保護部材２８をリーンホース１１よりも低背とするためである。また、上記理由として、高圧電線２２及び低圧電線２５を横一列に並べた状態に合うように内部空間３５を形成するためである。内部空間３５は、高圧電線２２及び低圧電線２５を横一列に並べて収容した状態において、高圧電線２２と部材内面３６との間に生じる隙間が極力小さくなるように形成されている。（但し、製造に支障のない範囲で隙間が調整されるものとする）。車体床下用保護部材２８は、リーンホース１１の横に設置されると、リーンホース１１により生じるデッドスペース３７（図４参照）に隠れるような形状に形成されている。
【００４８】
車体床下用保護部材２８は、部材の軸方向（図２の矢印Ｐ方向参照）に沿ってスリットのないシームレス形状に形成されている。車体床下用保護部材２８には、この一方の開口から他方の開口に向けて高圧電線２２及び低圧電線２５がそれぞれ差し込まれるようになっている。
【００４９】
図１において、上記固定部材２４は、ワイヤハーネス２１を車両に固定するための複数種の固定部材のうちの一種であって、ここでは例えば車体フレーム８に対しネジ止めする部分を有する合成樹脂製のプロテクタが一例として図示されている。固定部材２４は、保護部材２３に対し別体となる部品であって、ここでは車体床下用保護部材２８を車体床下１０に沿った状態に保持することができるように形成されている。尚、プロテクタの他に適用可能なものとしては、クリップやブラケットやバンド部材等が挙げられるものとする。図１に示す固定部材２４の位置及び数は一例であるものとする。固定部材２４は、車両内部用保護部材２６、２７と、車体床下用保護部材２８とを繋ぐような部材として形成されている（一例であるものとする）。
【００５０】
次に、図３を参照しながら、ワイヤハーネス２１の製造から車両組み付けまでを説明する。
【００５１】
図３（ａ）において、車両内部用保護部材２６、２７及び車体床下用保護部材２８を含む保護部材２３の所定位置に固定部材２４を設けるとともに、保護部材２３に複数の高圧電線２２及び低圧電線２５を挿通し、さらに、車両内部用保護部材２６、２７から露出した高圧電線２２及び低圧電線２５の各端末を処理（コネクタや端子金具を設ける）すると、本発明のワイヤハーネス２１の製造が完了する。
【００５２】
製造後のワイヤハーネス２１は、車体床下用保護部材２８の位置や車両内部用保護部材２６、２７の位置で曲げを施して図３（ｂ）に示す如く丸められ、そして通い箱３８に収容される。通い箱３８に収容された状態のワイヤハーネス２１は、搬送車両によって自動車メーカーの組み立て工場まで搬送される。組み立て工場においては、車両組み付け前に通い箱３８からワイヤハーネス２１が取り出され（図３（ｃ）参照）、この後に車両の所定位置に組み付けられると、配索が完了する。
【００５３】
以上、本発明によれば、ワイヤハーネス２１を構成する保護部材２３の車両内部用保護部材２６、２７及び車体床下用保護部材２８が合成樹脂製であることから、金属製の金属保護パイプを有する従来例のワイヤハーネス（特許文献１、２参照）と比べて軽量化を図ることができる。従って、軽量化を図ることにより、ワイヤハーネス２１自体の取り回しを容易にして作業性の向上を図ることもできる。また、近年の車両全体における軽量化の流れに合わせることもできる。
【００５４】
また、本発明によれば、車体床下用保護部材２８が絶縁性を有する合成樹脂製であることから、仮に内部で漏電が生じたとしても車体床下用保護部材２８に大電流が流れることはなく、結果、従来よりも安全性の向上を図ることができる。
【００５５】
また、本発明によれば、車体床下用保護部材２８が断面非円形状の平型チューブであるとともに、複数の高圧電線２２及び低圧電線２５を横一列に並べた状態に合わせた形状のものであることから、損傷し難く、結果、高圧電線２２等の保護をより確実にすることができる。この効果について具体的に説明すると、図４に示す如く、車体床下用保護部材２８の高さＨ２はリーンホース１１の高さＨ１よりも低くなる（Ｈ１＞Ｈ２）ことから、地面からの距離では車体床下用保護部材２８の方がリーンホース１１の突出先端面よりも離れることになり、結果、車体床下用保護部材２８は地面側からの影響を受け難くなる。従って、車体床下用保護部材２８は損傷し難い状態になると言え、高圧電線２２等の保護をより確実にすることができる。
【００５６】
ここで、従来例のワイヤハーネス（特許文献１、２参照）と同じ構成で比較用ワイヤハーネスを製造し、比較用ワイヤハーネスの金属保護パイプ３９と車体床下用保護部材２８とを比べてみると、金属保護パイプ３９の高さＨ３は、車体床下用保護部材２８の高さＨ２よりも高くなってしまうことになる（Ｈ２＜Ｈ３）。これは、電線数を同じにして比較した場合、金属保護パイプ３９の内部で電線が積み重なり、この積み重なった分だけ高さが嵩んでしまうからである。従って、仮に金属保護パイプ３９の高さＨ３をリーンホース１１の高さＨ１よりも僅かに低く（Ｈ３＜Ｈ１）することができたとしても、金属保護パイプ３７の高さＨ３は車体床下用保護部材２８の高さＨ２までには及ばない（Ｈ２＜Ｈ３）ことから、本発明は従来例よりも高圧電線２２等の保護を確実にすることができる。
【００５７】
また、本発明によれば、車体床下用保護部材２８がリーンホース１１よりも低背（Ｈ１＞Ｈ２）でリーンホース１１の横に位置するように設置されることから、車体床下用保護部材２８がデッドスペース３７に完全に隠れるようになる。従って、より一層損傷し難いものとすることができる（上記比較用ワイヤハーネスの金属保護パイプ３９はデッドスペース３７に完全に隠れずに、はみ出しが生じてしまう）。
【００５８】
また、本発明によれば、車体床下用保護部材２８がリーンホース１１の横に位置するように設置されることから、リーンホース１１を利用して、構成部材の追加をすることなしに、あたかも強い構造にすることができる。
【００５９】
また、本発明によれば、車体床下用保護部材２８がシームレス形状のものであることから、水跳ねがあっても水分が内部に浸入することはなく、結果、高圧電線２２等を保護することができる。
【００６０】
また、本発明によれば、車体床下用保護部材２８が蛇腹状で曲げ易く、さらに平型チューブであることから、曲げ方向を規制することができる。従って、作業者は丸めて通い箱３８に収容する際に曲げ方向を把握することが容易になって、結果、作業性を向上させることができる。
【００６１】
また、本発明によれば、車体床下用保護部材２８が床下載置面３１となり得る頂面３４を有する蛇腹状で尚かつ平型チューブであることから、車体床下１０に沿わせて組み付けた状態での安定性を確保することができる（比較用ワイヤハーネスの金属保護パイプ３９では点接触の部分が直線的に並ぶだけであって座りが悪い）とともに、車体床下１０に対する接触面積を大きくして、従来よりも摩滅し難くすることができる。言い換えれば、耐久性の向上を図ることができる。
【００６２】
また、本発明によれば、車体床下用保護部材２８が断面非円形状の平型チューブであるとともに、高圧電線２２等を横一列に並べた状態に合わせた形状のものでもあり、さらに、高圧電線２２と部材内面３６との間に生じる隙間が極力小さくなるように内部空間３５を調整していることから、高圧電線２２をチューブ変形規制部材として機能させることができる。すなわち、車体床下用保護部材２８に例えば石跳ねによって外力が加わり急激な撓みが生じるような場合であっても、破損する前に部材内面３６が高圧電線２２に当接して応力を車体床下用保護部材２８の他の部分へ分散することができる（高圧電線２２を応力分散のために利用する）。尚、断面円形状のものは（例えば図５（ｃ）参照）、外力に対し弱い箇所（電線と部材内面との間に生じる隙間）が大きくなってしまい、この部分に石跳ねによる外力が掛かった場合には、応力集中によって破損してしまう可能性が高い。従って、車体床下用保護部材２８の破損を防止することにより、高圧電線２２等の保護をより確実にすることができる。
【００６３】
本発明のワイヤハーネス２１によれば、車体床下用保護部材２８の特徴によって、従来よりも作業性や安定性や耐久性や安全性等の向上を図ることができるという効果を奏する。また、本発明のワイヤハーネス２１によれば、リーンホース１１を保護部材として利用することにより、構成部材の追加を抑えることができ、コスト低減や軽量化を図ることもできるという効果を奏する。
【００６４】
続いて、図５を参照しながら本発明のワイヤハーネスの他の一実施の形態を説明する。図５は他の一実施の形態を示す断面図であり、図５（ａ）は高圧電線が二本の場合を示す図、図５（ｂ）は高圧電線が三本の場合を示す図、図５（ｃ）は比較例としての図である。
【００６５】
図５（ａ）に示す本発明のワイヤハーネス５１は、二本の高圧電線２２に対応したものとなっている。すなわち、ワイヤハーネス５１は、図１のワイヤハーネス２１から低圧電線２５を除いたものとなっている。また、ワイヤハーネス５１は、断面非円形状の平型チューブである車体床下用保護部材５２を、二本の高圧電線２２を横一列に並べた状態に合わせて形成したものとなっている。
【００６６】
一方、図５（ｂ）に示す本発明のワイヤハーネス５３は、三本の高圧電線２２に対応したものとなっている。ワイヤハーネス５３は、モータとインバータとを接続して電力を供給するものであって（上記モータが車両内部前側に搭載され、上記インバータが車両内部後側に搭載されるものとする）、断面非円形状の平型チューブである車体床下用保護部材５４が、三本の高圧電線２２を横一列に並べた状態に合わせた形状に形成されている。
【００６７】
尚、従来例のワイヤハーネス（特許文献１、２参照）と同じ構成で尚かつ三本の高圧電線２２に対応するように比較用ワイヤハーネス５５を製造し、この比較用ワイヤハーネス５５の金属保護パイプ５６の位置で断面を見ると、高圧電線２２と部材内面５７との間に生じる隙間５８は、図５（ｂ）に示すワイヤハーネス５３と比べて格段に大きいことが分かる。従って、図５（ｂ）に示すワイヤハーネス５３の方が外力に対し弱い箇所が少ないと言える（比較用ワイヤハーネス５５の場合はワイヤハーネス５３をチューブ変形規制部材として機能させることができない構造でもある）。
【００６８】
図５（ａ）及び（ｂ）に示す本発明のワイヤハーネス５１、５３は、上記本発明のワイヤハーネス２１と同じ効果を奏する。また、ワイヤハーネス５１は、二本の高圧電線２２に対応したものであることから、部材幅方向のサイズをコンパクトにすることができる。これにより、確実にデッドスペースに隠れるようなものにすることができる。
【００６９】
続いてさらに、図６を参照しながら本発明のワイヤハーネスの更に他の一実施の形態を説明する。図６は更に他の一実施の形態を示す断面図であり、図６（ａ）は平型の高圧電線とした場合の第一の例を示す図、図６（ｂ）は平型の高圧電線とした場合の第二の例を示す図、図６（ｃ）は平型の高圧電線とした場合の第三の例を示す図である。
【００７０】
図６（ａ）に示す本発明のワイヤハーネス６１は、三本の（数は一例であるものとする）平型の高圧電線６２に対応したものとなっている。ワイヤハーネス６１は、断面非円形状の平型チューブである車体床下用保護部材６３を備えており、車体床下用保護部材６３は、この形状が三本の平型の高圧電線６２を横一列に並べた状態に合わせて形成されている。平型の高圧電線６２は、導体形状が断面略長方形状となる平型の導体６４と、この平型の導体６４を被覆する絶縁被覆６５とを備えて構成されている。平型の高圧電線６２は、この平型の導体６４の断面長手方向が図６の紙面上下方向になるような状態で車体床下用保護部材６３内に収容されている。
【００７１】
平型の高圧電線６２を用いることにより、部材幅方向のサイズをコンパクトにすることができる。従って、ワイヤハーネス６１自体の小型化を図ることができる。
【００７２】
図６（ｂ）に示す本発明のワイヤハーネス６６は、上記ワイヤハーネス６１の変形例であり、さらに小型化を図ったものである。車体床下用保護部材６７は、三本の平型の高圧電線６２に合わせて矩形の断面形状となるように形成されている。本発明によれば、小型化を図ることにより、より一層リーンホース横のデッドスペースに隠れ易い形状にすることができるのは勿論のこと、ワイヤハーネス搬送時におけるスペース確保も容易にすることができる。
【００７３】
一方、図６（ｃ）に示す本発明のワイヤハーネス６８も上記ワイヤハーネス６１の変形例であり、平型の高圧電線６９の導体形状が異なっている。すなわち、平型の高圧電線６９は、素線（又は撚り線）を複数並べて断面略平型となる形状の導体７０を備えている。このような導体７０は、絶縁被覆７１によって被覆されている。
【００７４】
この他、本発明は本発明の主旨を変えない範囲で種々変更実施可能なことは勿論である。
【図面の簡単な説明】
【００７５】
【図１】本発明のワイヤハーネスの一実施の形態を示す模式的な構成図である。
【図２】車体床下用保護部材及びリーンホースを示す図であり、（ａ）は地面から車体床下を見た時の要部拡大図（一部断面を含む）、（ｂ）は（ａ）のＡ−Ａ線断面図である。
【図３】ワイヤハーネス製造から車両組み付けまでの流れを示す模式的な図であり、（ａ）は製造直後のワイヤハーネスの図、（ｂ）は汎用通い箱に収容して搬送する状態のワイヤハーネスの図、（ｃ）は車両組み付け直前のワイヤハーネスの図、（ｄ）は車両組み付け後のワイヤハーネスの図である。
【図４】断面非円形状の本発明と断面円形状の比較例との差異を説明するための模式的な断面図である。
【図５】本発明のワイヤハーネスの他の一実施の形態を示す断面図であり、（ａ）は高圧電線が二本の場合を示す図、（ｂ）は高圧電線が三本の場合を示す図、（ｃ）は比較例としての図である。
【図６】本発明のワイヤハーネスの更に他の一実施の形態を示す断面図であり、（ａ）は平型の高圧電線とした場合の第一の例を示す図、（ｂ）は平型の高圧電線とした場合の第二の例を示す図、（ｃ）は平型の高圧電線とした場合の第三の例を示す図である。
【符号の説明】
【００７６】
１  ハイブリッド自動車
２  エンジン
３  モータ
４  インバータ
５  バッテリー
６  車両内部前側
７  車両内部後側
８  車体フレーム
９  車体床上
１０  車体床下
１１  リーンホース
１２  電気接続箱
１３  低圧バッテリー
２１  ワイヤハーネス
２２  高圧電線
２３  保護部材
２４  固定部材
２５  低圧電線
２６、２７  車両内部用保護部材
２８  車体床下用保護部材
２９  山部
３０  谷部
３１  床下載置面
３２  地面対向面
３３  曲面
３４  頂面
３５  内部空間
３６  部材内面
３７  デッドスペース
３８  通い箱
５１、５３  ワイヤハーネス
５２、５４  車体床下用保護部材
６１、６６、６８  ワイヤハーネス
６２、６９  平型の高圧電線
６３、６７  車体床下用保護部材
６４  平型の導体
６５、７１  絶縁被覆
７０  導体
【図１】
2010012868.tif 000003
【図２】
2010012868.tif 000004
【図３】
2010012868.tif 000005
【図４】
2010012868.tif 000006
【図５】
2010012868.tif 000007
【図６】
2010012868.tif 000008